(57)【特許請求の範囲】
【請求項１】
複数に分割した芯材を有するウエスト部間を弾性材で接続することによりウエストサイズを伸縮自在とした被服のウエストサイズ伸縮自在構造において、
前記ウエスト部まで形成した被服地の重ね合せ部と、
前記重ね合せ部の一方の布部に形成されたウエスト部の一端から延出する延出部と、
前記重ね合せ部の他方の布部に形成され、前記延出部を収容する収容部と、
前記延出部と前記収容部との間に両端が接続された主弾性材と、
前記主弾性材の最大伸びを制限する伸び止め材と、
前記収容部に挿入された前記延出部及び前記主弾性材及び前記伸び止め材の周囲を覆い、その面の滑かさにより、その接触抵抗を少なくする前記収容部の端部側の内面に設けた収容部裏地と
を具備することを特徴とする被服のウエストサイズ伸縮自在構造。
【請求項２】
複数に分割した芯材を有するウエスト部間を弾性材で接続することによりウエストサイズを伸縮自在とした被服のウエストサイズ伸縮自在構造において、
前記ウエスト部まで形成した被服地の重ね合せ部と、
前記重ね合せ部の一方の布部に形成されたウエスト部の一端から延出する延出部と、
前記重ね合せ部の他方の布部に形成され、前記延出部を収容する収容部と、
前記延出部と前記収容部との間に両端が接続された主弾性材と、
前記主弾性材の最大伸びを制限する伸び止め材と、
前記延出部と前記重ね合せ部の前記他方の布部の裏面との間に両端が接続された補助弾性材と、
前記収容部に挿入された前記延出部及び前記主弾性材及び前記伸び止め材の周囲を覆い、その面の滑かさにより、その接触抵抗を少なくする前記収容部の端部側の内面に設けた収容部裏地と
を具備することを特徴とする被服のウエストサイズ伸縮自在構造。
【請求項３】
複数に分割した芯材を有するウエスト部間を弾性材で接続することによりウエストサイズを伸縮自在とした被服のウエストサイズ伸縮自在構造において、
前記ウエスト部まで形成した被服地の重ね合せ部と、
前記重ね合せ部の一方の布部に形成されたウエスト部の一端から延出する延出部と、
前記重ね合せ部の他方の布部に形成され、前記延出部を収容する収容部と、
前記延出部と前記収容部との間に両端が接続された主弾性材と、
前記主弾性材の最大伸びを制限する伸び止め材と、
前記延出部の重ね合された内側と前記重ね合せ部の前記他方の布部の裏面との間に両端が接続された補助弾性材と、
前記収容部に挿入された前記延出部及び前記主弾性材及び前記伸び止め材の周囲を覆い、その面の滑かさにより、その接触抵抗を少なくする前記収容部の端部側の内面に設けた収容部裏地と、
前記延出部に挿入された前記補助弾性材の周囲を覆い、その面の滑かさにより、その接触抵抗を少なくする前記延出部の端部側の内面に設けた延出部裏地と
を具備することを特徴とする被服のウエストサイズ伸縮自在構造。
【請求項４】
前記収容部裏地または前記延出部裏地は、前記収容部または前記延出部の端部から５乃至１５ｃｍの範囲の長さとしたことを特徴とする請求項１乃至請求項３の何れか１つに記載の被服のウエストサイズ伸縮自在構造。
【発明の詳細な説明】
【０００１】
【発明の属する技術分野】
本各発明は、ポケットによる重ね合せ部またはタック（ボックスタックを含む）による重ね合せ部を備えたウエスト部を有する被服、即ち、パンツ（ズボン）やスカート、ワンピース等（以下、単に『被服』という）のウエストサイズを伸縮自在とした被服のウエストサイズ伸縮自在構造に関するものであリ、衣類一般に使用できるものである。
【０００２】
【従来の技術】
一般に、パンツ等の既製品のベルト部のサイズは、例えば、６９ｃｍ、７２ｃｍ、７５ｃｍといったように所定間隔で設定されており、購入者は、自己のベルトサイズに近いものを選択して購入し、自己のベルトサイズに修正したり、革ベルト等によって矯正して着用している。
【０００３】
しかしながら、ベルトサイズを修正する場合には、修正作業が必要であり、手間及び費用を要する。また、革ベルト等によって矯正する場合には、パンツ等のベルト部にシワが生じてテザイン的に好ましくなく、また、着用した際の快適性も劣るという問題がある。
【０００４】
そこで、これを解決したものとして、特許第２５７８０７９号公報及び特許第２５１８８０４号公報等の技術が公知である。
【０００５】
即ち、パンツ等のベルト部の横側、前側の一部にゴム等の弾性材を介在させ、この弾性材によってベルトサイズを伸縮させることができるようにしたものである。
【０００６】
【発明が解決しようとする課題】
ところが、例えば、特許第２５７８０７９号公報に掲載のズボン等のウエスト伸縮構造にあっては、図９の従来のウエスト部を伸縮自在としたパンツの上部斜視図の、矢視Ａ及び矢視Ｂに示すように、ウエスト部１００のウエスト伸縮構造部分に繋ぎ目が存在する。
【０００７】
矢視Ａ及び矢視Ｂから、ウエスト伸縮構造部分の繋ぎ目を広げると、図１０に示す図９の矢視Ａ（ａ）及び矢視Ｂ（ｂ）からみたウエスト部１００のウエスト伸縮構造の繋ぎ目を広げた拡大図に示すように、内部の縫製加工跡が確認される。即ち、ポケット１０１の上側の布部におけるポケット１０１の入口部分から延出する延出部１０２が、ポケット１０１の下側の布部によって被覆されているが、その延出部１０２及び／または収容部１０３相互間に隙間が存在し、その隙間を興味によって広げることができる。
【０００８】
特に、ポケット１０１の入口部分から延出する延出部１０２の構造を確認しようとして、延出部１０２を被覆する側の布部を広げる場合が想定される。その際、ウエスト部１００の布端部の縫代をロック掛けするだけでは、ウエスト部１００の芯材が見えたり、ロック掛けした布端がほつれたりし、その商品イメージを低下させる可能性がある。
【０００９】
また、人によっては、延出部１０２を引張った状態でポケット１０１の内側からウエストの変化する距離の隙間を広げて、その構造を確認しようとして、内部から延出部１０２側の布部を広げる場合が想定される。この場合にも、ウエスト部１００の布端部の縫代をロック掛けするだけでは、ウエスト部１００の芯材が見えたり、ロック掛けした布端がほつれたりし、その商品イメージを低下させる可能性がある。
【００１０】
そして、収容部１０３に挿入された延出部１０２は、収容部１０３の内部を摺動するが、収容部１０３の芯材やロック掛けした布端やロック掛けしてない布端、ほつれ端部と摺接するので、その接触抵抗が大きく、同様に、弾性材も収容部１０３の内面と摺接するので、その接触抵抗も大きく、延出部１０２と収容部１０３との滑かな動きができなかった。
【００１１】
そこで、本発明は、伸縮自在にするために形成されている隙間を広げたときでも、その見栄えを良くすると共に、滑かな伸縮が可能な被服のウエストサイズ伸縮自在構造の提供を課題とするものである。
【００１２】
【課題を解決するための手段】
請求項１にかかる被服のウエストサイズ伸縮自在構造は、複数に分割した芯材を有するウエスト部間を弾性材で接続することによりウエストサイズを伸縮自在とした被服のウエストサイズ伸縮自在構造において、前記ウエスト部まで形成した被服地の重ね合せ部と、前記重ね合せ部の一方の布部に形成されたウエスト部の一端から延出する延出部と、前記重ね合せ部の他方の布部に形成され、前記延出部を収容する収容部と、前記延出部と前記収容部との間に両端が接続された主弾性材と、前記主弾性材の最大伸びを制限する伸び止め材と、前記延出部と前記重ね合せ部の前記他方の布部の裏面との間に両端が接続された補助弾性材と、前記収容部に挿入された前記延出部及び前記主弾性材及び前記伸び止め材の周囲を覆い、その面の滑かさにより、その接触抵抗を少なくする前記収容部の端部側の内面に設けた収容部裏地とを具備するものである。
【００１３】
請求項２にかかる被服のウエストサイズ伸縮自在構造は、複数に分割した芯材を有するウエスト部間を弾性材で接続することによりウエストサイズを伸縮自在とした被服のウエストサイズ伸縮自在構造において、前記ウエスト部まで形成した被服地の重ね合せ部と、前記重ね合せ部の一方の布部に形成されたウエスト部の一端から延出する延出部と、前記重ね合せ部の他方の布部に形成され、前記延出部を収容する収容部と、前記延出部と前記収容部との間に両端が接続された主弾性材と、前記主弾性材の最大伸びを制限する伸び止め材と、前記収容部に挿入された前記延出部及び前記主弾性材及び前記伸び止め材の周囲を覆い、その面の滑かさにより、その接触抵抗を少なくする前記収容部の端部側の内面に設けた収容部裏地とを具備するものである。
【００１４】
請求項３にかかる被服のウエストサイズ伸縮自在構造は、複数に分割した芯材を有するウエスト部間を弾性材で接続することによりウエストサイズを伸縮自在とした被服のウエストサイズ伸縮自在構造において、前記ウエスト部まで形成した被服地の重ね合せ部と、前記重ね合せ部の一方の布部に形成されたウエスト部の一端から延出する延出部と、前記重ね合せ部の他方の布部に形成され、前記延出部を収容する収容部と、前記延出部と前記収容部との間に両端が接続された主弾性材と、前記主弾性材の最大伸びを制限する伸び止め材と、前記延出部と前記重ね合せ部の前記他方の布部の裏面との間に両端が接続された補助弾性材と、前記収容部に挿入された前記延出部及び前記主弾性材及び前記伸び止め材の周囲を覆い、その面の滑かさにより、その接触抵抗を少なくする前記収容部の端部側の内面に設けた収容部裏地と、前記延出部に挿入された前記補助弾性材の周囲を覆い、その面の滑かさにより、その接触抵抗を少なくする前記延出部の端部側の内面に設けた延出部裏地とを具備するものである。
【００１５】
請求項４にかかる被服のウエストサイズ伸縮自在構造の前記収容部裏地または延出部裏地は、前記収容部または前記延出部の端部から５乃至１５ｃｍの範囲の長さとしたものである。
【００１８】
【発明の実施の形態】
以下、本発明の実施の形態の被服のウエストサイズ伸縮自在構造を紳士物パンツに使用した場合について説明する。
【００１９】
実施の形態１
図１は本発明の実施の形態１の被服のウエストサイズ伸縮自在構造の要部裏面の構成を示す部品展開図、図２は本発明の実施の形態１の被服のウエストサイズ伸縮自在構造の要部裏面の縫製途中の構成を示す部品展開図である。
【００２０】
図１は紳士物パンツの上端を示すもので、この紳士物パンツのタック１は、表側からみたパンツ布地の意匠面（表）側に重なっている上側の布部１１と、パンツ布地の意匠面（表）側に重なった下側の布部１２と、両者間を接続する接続布１３から構成されている。
【００２１】
なお、このタック１は、その端部がウエスト部２０まで形成され、本実施の形態の重ね合せ部を構成している。
【００２２】
また、本実施の形態においては、タック１の上端にタック１の中心から両側に各１０ｃｍの範囲をパイピング布１５で包んでいる。即ち、上側の布部１１及び下側の布部１２及び接続布１３の上端部を、２０ｃｍ強程度のパイピング布１５で包み、端部を見栄えの良い処理としている。このパイピング布１５の長さは、複数に分割されたウエスト部から確認できる程度以上の長さを有しておれば良いことから、ウエストサイズの変化が３ｃｍのとき、タック１の中心から両側に各５ｃｍ以上の長さであればよいから、通常、タック１の中心から両側に各１５ｃｍ以下、３ｃｍ以上として使用される。パイピング布１５の材料は、公知のパンツまたはスーツ等の裏地として使用されるものであればよく、また、テープ等の使用も可能である。
【００２３】
図に示すウエスト部２０は、２分割され、タック１の意匠面側からみて上側の布部１１に縫着され、上側の布部１１に取付けた個所から更に延出する構成を有する延出部２１と、タック１の意匠面からみて下側の布部１２に縫着され、延出部２１を収容する構成を有する収容部２２で構成されている。なお、一般に、紳士物パンツに使用する場合のウエスト部２０は、対称位置の２個所に、図１及び図２に示す分割を行うことになる。当然、１個所以上として実施することもできる。
【００２４】
延出部２１は、上側の布部１１及び下側の布部１２と同じ材料からなる被覆布２１Ａに芯材２３ａ，２３ｂを接合したものを内折りとし、延出している端部を除き均一なウエスト部２０の幅に見えるように、その幅を設定し、その２つ折りした下端で上側の布部１１を挟み、図２のミシン目１６のように縫着する。そして、延出部２１側の２つ折りした下端で上側の布部１１を挟み込み縫着する位置は、タック１の意匠面からみて上側の布部１１の折れ線１ｂまでとしている。その位置がウエストサイズの最縮小位置となる。故に、延出部２１はタック１の意匠面からみて上側の布部１１の折れ線１ｂから延出していることになる。
【００２５】
また、収容部２２は、延出部２１と同様に上側の布部１１及び下側の布部１２と同じ材料からなる被覆布２２Ａに芯材２４ａ，２４ｂを接合したものを内折りとし、延出部２１と共に均一なウエスト部２０の幅となるように、その幅を設定し、その２つ折りした下端で下側の布部１２を挟み、図２のミシン目１６のように縫着している。なお、図２では、ミシン目１６に段差があるが、それは説明のために付けたものであり、実際は直線となる。収容部２２の２つ折りした下端で下側の布部１２を挟み縫製する位置は、タック１の意匠面からみて上側の布部１１を縫合しないように、折れ線１ｂの直前位置までとしている。その位置がウエストサイズの基準位置となる。
【００２６】
更に、延出部２１の被覆布２１Ａに芯材２３ａ，２３ｂを接合した内側には、その端部から１５ｃｍの範囲に延出部裏地２５をステッチ等により縫着している。延出部裏地２５の材料は、公知のパンツまたはスーツ等の裏地として使用されるものであればよい。また、収容部２２の被覆布２２Ａに芯材２４ａ，２４ｂを接合した内側にも、その端部から１５ｃｍの範囲に収容部裏地２６を縫着している。収容部裏地２６の材料は、前者同様、公知のパンツまたはスーツ等の裏地として使用されるものであればよい。
【００２７】
延出部２１の先端は、重ね縫いにより幅広の平ゴムからなる主弾性材３０の一端を縫着している。また、主弾性材３０の他端は収容部２２の内側に縫い着けている。特に、本実施の形態においては、主弾性材３０の最大伸びを特定するテープ状の伸び止め材３１を主弾性材３０の両端に同時に縫い着けている。テープ状の伸び止め材３１は、主弾性材３０の収縮状態では、伸び止め材３１の長さが１．２乃至２倍程度になっており、主弾性材３０の最大伸び状態では、伸び止め材３１の長さで主弾性材３０の長さが規制させられる。
【００２８】
主弾性材３０の一端が縫着されている延出部２１の先端の縫い着け位置よりも、主弾性材３０の他端の収容部２２に対する縫い着け位置の方を略同一または若干高い位置とし、延出部２１の上端が収容部２２の上端に密接しながらも、その移動の際には、接触抵抗が大きすぎたり、形崩れが生じないようにしている。
【００２９】
意匠面からみてタック１の下側の布部１２の折れ線１ａ側の上端部には、幅狭の平ゴムからなる補助弾性材３３の一端を縫い着けている。また、補助弾性材３３の他端は延出部２１の内側に縫い着けている。補助弾性材３３は、常に、タック１の下側の布部１２の折れ線１ａ側の端部が、延出部２１の内側に入り込むように弾性力が附与されている。しかし、補助弾性材３３の弾性力は、主弾性材３０の弾性力に比較すると小さく、ウエストサイズの調整の主弾性材３０の弾性力からすれば無視できる程度である。補助弾性材３３の弾性力は、タック１の下側の布部１２の折れ線側の端部を延出部２１の内側に入り込むようにし、タック１の形状維持のために設けたものであり、省略も可能である。
【００３０】
補助弾性材３３の一端はタック１の下側の布部１２の折れ線１ａ側の上端部に縫い着けられ、補助弾性材３３の他端の延出部２１の内側に対する縫い着け位置を略同一または若干高い位置とし、タック１の下側の布部１２側に皺が入らないようにしている。
【００３１】
なお、意匠面側からみたウエスト部２０の延出部２１と収容部２２との境界線は、収容部２２の境界線を被覆するベルト通し４０を設けるか、または、延出部２１と収容部２２との境界線にベルト通し４０のエッジを設定し、ベルト通し５０により境界部分が隠され、美感が確保されるようにしている。
【００３２】
図３は本発明の一実施の形態の被服のウエストサイズ伸縮自在構造の要部裏面を示す正面図、図４は本発明の一実施の形態の被服のウエストサイズ伸縮自在構造の要部表面を示す正面図であり、共に（ａ）は主弾性材３０が収縮した通常状態、（ｂ）は主弾性材３０が伸びた状態を示すものである。
【００３３】
図３（ａ）及び図４（ａ）に示すように、主弾性材３０が収縮状態にあるとき、延出部２１は最も多く収容部２２に入っており、主弾性材３０の本来の長さによって両者の結合深さが決定される。タック１の下側の布部１２の折れ線１ｂ側の上端は、補助弾性材３３の弾性力で上側の布部１１側に引張られており、タック１の下側の布部１２は、その上端が直接縫製されているかの如く伸びた状態にある。即ち、このとき、タック１は折れ線１ａ及び折れ線１ｂで折れ、上側の布部１１及び下側の布部１２及び接続布１３が平面的に位置しており、アイロンプレス位置となっており、通常の販売形態である。
【００３４】
また、延出部２１と収容部２２に対して大きな外力を加えたとき、図３（ｂ）及び図４（ｂ）に示すように、主弾性材３０が伸び延出部２１は最も多く収容部２２から離脱する。本実施の形態の主弾性材３０の最大伸び状態は、伸び止め材３１の長さで規制される。なお、着用によって所定の弾性力が主弾性材３０に加わったときも、主弾性材３０の伸びの長さによって平衡が保たれるが、原理的には両者間に違いはないので、延出部２１と収容部２２に対して大きな外力を加えた事例で説明する。
【００３５】
図３（ｂ）及び図４（ｂ）に示すように、主弾性材３０を最大に引伸したとき、延出部２１は主弾性材３０の弾性力に逆らって最も多く収容部２２から伸びる。但し、主弾性材３０の最大伸び状態は、伸び止め材３１の長さで規制される。このとき、タック１の下側の布部１２の折れ線１ｂ側の上端は、補助弾性材３３の弾性力が強められるが、補助弾性材３３によって上側の布部１１側に引張られており、タック１の下側の布部１２は、その上端が直接縫製されているかの如く伸びた状態にある。また、タック１の上側の布部１１は、延出部２１の移動に伴なって上側の布部１１及び接続布１３が主弾性材３０が伸びていない本来のタック１の折れ線１ｂの位置から、折れ線１ｂの位置が延出部２１側に移動し、図３（ｂ）及び図４（ｂ）に示す事例では、折れ線１ｂの位置が折れ線１ａの位置と逆転し、タック１による重なり合う部分がなくなっている。
【００３６】
故に、延出部２１と収容部２２との間に、主弾性材３０の弾性力に逆らって張力を加えた場合、両者間は、主弾性材３０が伸び止め材３１の長さで規制される距離まで伸びる。
【００３７】
勿論、タック１の折れ線１ａと折れ線１ｂの距離よりも、伸び止め材３１の長さが等しいか、短く設定されている。逆の場合であると、タック１が伸び切り、そこに張力を受けることになる。換言すれば、伸び止め材３１を使用しない場合には、タック１の折れ線１ａと折れ線１ｂの距離が、最大伸びの長さを規制するように作用する。
【００３８】
したがって、本実施の形態の被服のウエストサイズ伸縮自在構造を具備するものは、着用する人のウエストのサイズに合致すべく弾性力を受け、ウエストにフィトする被服とすることができる。
【００３９】
このとき、主弾性材３０の弾性力により収容部２２に挿入された延出部２１が収容部２２の内部を摺動するが、収容部裏地２６の面と摺接するので、収容部裏地２６の面の滑かさにより、その接触抵抗を少なくでき、同様に、主弾性材３０及び伸び止め材３１も収容部裏地２６の面と摺接するので、その接触抵抗を少なくでき、滑かな動きが可能となる。また、補助弾性材３３についても延出部２１の内部を摺動するが、延出部裏地２５の面と摺接するので、延出部裏地２５の面の滑かさにより、その接触抵抗を少なくでき、上記滑かな動きを助長する。
【００４０】
同様に、パイピング布１５についても、延出部裏地２５の面と摺接するので、パイピング布１５及び延出部裏地２５の面の滑かさにより、その接触抵抗を少なくでき、上記滑かな動きを助長する。
【００４１】
このように、本実施の形態の被服のウエストサイズ伸縮自在構造は、被服のウエスト部２０を複数に分割し、分割した両者間を主弾性材３０で接続することによりウエストサイズを伸縮自在とした被服のウエストサイズ伸縮自在構造において、ウエスト部２０まで形成したタック１からなるパイピング布１５で包んだ被服地の重ね合せ部と、前記重ね合せ部の意匠面からみて上側の布部１１に形成されたウエスト部２０の一端から延出する延出部２１と、前記重ね合せ部の意匠面からみて下側の布部１２に形成され、前記延出部２１を収容する収容部２０と、少なくとも前記収容部２０の端部側の内面に設けた収容部裏地２６と、少なくとも前記延出部２１の端部側の内面に設けた延出部裏地２５と、前記延出部２１と前記収容部２０との間に両端が接続された主弾性材３０と、前記延出部２１の重ね合された内側と前記重ね合せ部の意匠面からみて下側の布部１２の裏面との間に両端が接続された補助弾性材３３とを具備するものである。
【００４２】
したがって、主弾性材３０の弾性力により収容部２２に挿入された延出部２１が収容部２２の内部を摺動するが、延出部２１が収容部裏地２６の面と摺接するので、収容部裏地２６の面の滑かさにより、その接触抵抗を少なくでき、同様に、主弾性材３０及び伸び止め材３１も収容部裏地２６の面と摺接するが、その接触抵抗を少なくでき、延出部２１と収容部２２との滑かな動きが可能となる。また、補助弾性材３３についても延出部２１の内部を摺動するが、延出部裏地２５の面と摺接するので、延出部裏地２５の面の滑かさにより、その接触抵抗を少なくでき、上記延出部２１と収容部２２との滑かな動きを助長する。
【００４３】
同様に、パイピング布１５の一部についても、延出部裏地２５の面と摺接するので、パイピング布１５及び延出部裏地２５の面の滑かさにより、その接触抵抗を少なくでき、上記滑かな動きを助長する。
【００４４】
そこで、図４における矢視Ｃのように、パンツの意匠面側から収容部２２の端部を開口させると、挿入された延出部２１及びその周囲の収容部裏地２６が確認されるだけで、被覆布２２Ａの端部及び芯材２４ａ，２４ｂは収容部裏地２６によって見えなくなり、その見栄えが向上する。また、図２及び図３における矢視Ｄのように、意匠面の裏側から収容部２２の端部を開口させると、挿入された延出部２１及びその周囲の収容部裏地２６が確認されるだけで、被覆布２２Ａの端部及び芯材２４ａ，２４ｂは収容部裏地２６によって見えなくなり、その見栄えが向上する。
【００４５】
そして、特に、図４における矢視Ｆのように、主弾性材３０を伸ばした状態で被服（パンツ）の意匠面側から延出部２１の下側端部を開口させると、延出部裏地２５及びパイピング布１５が確認されるだけで、被覆布２１Ａの端部及び芯材２３ａ，２３ｂは延出部裏地２５によって見えなくなり、その見栄えが向上する。また、図３における矢視Ｇ及び図２の矢視Ｅのように、主弾性材３０を伸ばした状態でパンツの意匠面の裏側から延出部２１の下側端部を開口させると、延出部裏地２５及びパイピング布１５及び補助弾性材３３が確認されるだけで、被覆布２１Ａの端部及び芯材２３ａ，２３ｂは延出部裏地２５によって見えなくなり、その見栄えが向上する。
【００４６】
実施の形態２
上記実施の形態１におけるパイピング布１５は、被服の意匠面の反対側かみた場合に、意匠面からみて上側の布部１１及び下側の布部１２の上端のパイピング処理が確認されるものの、縫製の仕方に特別興味を持つ者以外は、通常、内側まで確認する人は少ない。また、タック１からなるパイピング布１５で包んだ被服地の重ね合せ部は、延出部２１の移動に追随するものであり、接触抵抗の影響は大きくない。
【００４７】
これらのことを考慮した実施の形態が、図５に示すものである。
【００４８】
図５は本発明の実施の形態２の被服のウエストサイズ伸縮自在構造の要部裏面の縫製途中の構成を示す部品展開図である。なお、図中、実施の形態１と同一符号及び記号は実施の形態１の構成部分と同一または相当する構成部分を示すものであるから、ここでは重複する説明を省略する。
【００４９】
本実施の形態においては、実施の形態１に示すパイピング布１５を有していないだけで、他は実施の形態１と同じである。
【００５０】
このように、本実施の形態の被服のウエストサイズ伸縮自在構造は、被服のウエスト部２０を複数に分割し、分割した両者間を主弾性材３０で接続することによりウエストサイズを伸縮自在とした被服のウエストサイズ伸縮自在構造において、ウエスト部２０まで形成したタック１からなる被服地の重ね合せ部と、前記重ね合せ部の意匠面からみて上側の布部１１に形成されたウエスト部２０の一端から延出する延出部２１と、前記重ね合せ部の意匠面からみて下側の布部１２に形成され、前記延出部２１を収容する収容部２０と、少なくとも前記収容部２０の端部側の内面に設けた収容部裏地２６と、少なくとも前記延出部２１の端部側の内面に設けた延出部裏地２５と、前記延出部２１と前記収容部２０との間に両端が接続された主弾性材３０と、前記延出部２１の重ね合された内側と前記重ね合せ部の意匠面からみて下側の布部１２の裏面との間に両端が接続された補助弾性材３３とを具備するものである。
【００５１】
したがって、主弾性材３０の弾性力により収容部２２に挿入された延出部２１が収容部２２の内部を摺動するが、延出部２１が収容部裏地２６の面と摺接するので、収容部裏地２６の面の滑かさにより、その接触抵抗を少なくでき、同様に、主弾性材３０及び伸び止め材３１も収容部裏地２６の面と摺接するが、その接触抵抗を少なくでき、延出部２１と収容部２２との滑かな動きが可能となる。また、補助弾性材３３についても延出部２１の内部を摺動するが、延出部裏地２５の面と摺接するので、延出部裏地２５の面の滑かさにより、その接触抵抗を少なくでき、上記延出部２１と収容部２２との滑かな動きを助長する。
【００５２】
そこで、本実施の形態においても、図４における矢視Ｃのように、パンツの意匠面側から収容部２２の端部を開口させると、挿入された延出部２１及びその周囲の収容部裏地２６が確認されるだけで、被覆布２２Ａの端部及び芯材２４ａ，２４ｂは収容部裏地２６によって見えなくなり、その見栄えが向上する。また、図２及び図３における矢視Ｄのように、意匠面の裏側から収容部２２の端部を開口させると、挿入された延出部２１及びその周囲の収容部裏地２６が確認されるだけで、被覆布２２Ａの端部及び芯材２４ａ，２４ｂは収容部裏地２６によって見えなくなり、その見栄えが向上する。
【００５３】
特に、図４における矢視Ｆ、図３における矢視Ｇ及び図２の矢視Ｅのように、主弾性材３０を伸ばした状態で被服の意匠面側から延出部２１の下側端部を開口させると、延出部裏地２５及び下側の布部１２の上端が確認されるが、縫いしろを大きくとれば、下側の布部１２の上端が見え難くなり、通常では、確認できない程度の仕上りとなり、その見栄えが低下することがない。また、主弾性材３０を伸ばした状態で意匠面の裏側から延出部２１の下側端部を開口させると、延出部裏地２５及び上側の布部１１の上端が確認されるが、縫いしろを大きくとれば、上側の布部１１の上端が見え難くなり、通常では、確認できない程度の仕上りとなり、その見栄えが低下することがない。
【００５４】
実施の形態３
上記実施の形態１における補助弾性材３３は、意匠面からみて下側の布部１２の上部に皺が寄らないようにするために、延出部２１側に弾性力を付与するものである。したがって、パイピング布１５の中に下側の布部１２の折れ線１ａから３乃至１０ｃｍの合成樹脂製芯材を入れたり、或いは芯材２３ａ，２３ｂ，２４ａ，２４ｂと同様なものを下側の布部１２の折れ線１ａまでパイピング布１５と重ねて補遺正することにより、形状保持機能を持たせることができる。この場合には、補助弾性材３３を省略することができる。
【００５５】
当然、意匠面からみて下側の布部１２の上部に皺が寄っても、見栄えに影響する皺が入る可能性が低いことから、単純に補助弾性材３３を省略することもできる。
【００５６】
これらのことを考慮した実施の形態が、図６に示すものである。
【００５７】
図６は本発明の実施の形態３の被服のウエストサイズ伸縮自在構造の要部裏面の縫製途中の構成を示す部品展開図である。なお、図中、実施の形態１と同一符号及び記号は実施の形態１の構成部分と同一または相当する構成部分を示すものであるから、ここでは重複する説明を省略する。
【００５８】
本実施の形態においては、実施の形態１に示す補助弾性材３３を有していないだけで、他は実施の形態１と同じである。
【００５９】
このように、本実施の形態の被服のウエストサイズ伸縮自在構造は、被服のウエスト部２０を複数に分割し、分割した両者間を主弾性材３０で接続することによりウエストサイズを伸縮自在とした被服のウエストサイズ伸縮自在構造において、ウエスト部２０まで形成したタック１からなるパイピング布１５で包んだ被服地の重ね合せ部と、前記重ね合せ部の意匠面からみて上側の布部１１に形成されたウエスト部２０の一端から延出する延出部２１と、前記重ね合せ部の意匠面からみて下側の布部１２に形成され、前記延出部２１を収容する収容部２０と、少なくとも前記収容部２０の端部側の内面に設けた収容部裏地２６と、少なくとも前記延出部２１の端部側の内面に設けた延出部裏地２５と、前記延出部２１と前記収容部２０との間に両端が接続された主弾性材３０とを具備するものである。
【００６０】
したがって、主弾性材３０の弾性力により収容部２２に挿入された延出部２１が収容部２２の内部を摺動するが、延出部２１が収容部裏地２６の面と摺接するので、収容部裏地２６の面の滑かさにより、その接触抵抗を少なくでき、同様に、主弾性材３０及び伸び止め材３１も収容部裏地２６の面と摺接するが、その接触抵抗を少なくでき、延出部２１と収容部２２との滑かな動きが可能となる。
【００６１】
同様に、パイピング布１５の一部についても、延出部裏地２５の面と摺接するので、パイピング布１５及び延出部裏地２５の面の滑かさにより、その接触抵抗を少なくでき、上記滑かな動きを助長する。
【００６２】
そこで、本実施の形態においても、図４における矢視Ｃのように、パンツの意匠面側から収容部２２の端部を開口させると、挿入された延出部２１及びその周囲の収容部裏地２６が確認されるだけで、被覆布２２Ａの端部及び芯材２４ａ，２４ｂは収容部裏地２６によって見えなくなり、その見栄えが向上する。また、図２及び図３における矢視Ｄのように、意匠面の裏側から収容部２２の端部を開口させると、挿入された延出部２１及びその周囲の収容部裏地２６が確認されるだけで、被覆布２２Ａの端部及び芯材２４ａ，２４ｂは収容部裏地２６によって見えなくなり、その見栄えが向上する。
【００６３】
そして、図４における矢視Ｆのように、主弾性材３０を伸ばした状態で被服  （パンツ）の意匠面側から延出部２１の下側端部を開口させると、延出部裏地２５及びパイピング布１５が確認されるだけで、被覆布２１Ａの端部及び芯材２３ａ，２３ｂは延出部裏地２５によって見えなくなり、その見栄えが向上する。また、図３における矢視Ｇ及び図２の矢視Ｅのように、主弾性材３０を伸ばした状態でパンツの意匠面の裏側から延出部２１の下側端部を開口させると、延出部裏地２５及びパイピング布１５が確認されるだけで、被覆布２１Ａの端部及び芯材２３ａ，２３ｂは延出部裏地２５によって見えなくなり、その見栄えが向上する。特に、本実施の形態では補助弾性材３３を有していないので、それだけシンプルになる。
【００６４】
実施の形態４
上記実施の形態１における延出部裏地２５は、延出部裏地２５の面の滑かさによって補助弾性材３３の接触抵抗を小さくしているが、補助弾性材３３は自己の弾性力によって意匠面からみて下側の布部１２の上部に皺が寄らないようにするものである。してみれば、下側の布部１２の上部に均一な弾性力が加わっておればよいことから、格別、補助弾性材３３の接触抵抗を小さくする必要性はない。この場合には、延出部裏地２５を省略することができる。
【００６５】
これらのことを考慮した実施の形態が、図７に示すものである。
【００６６】
図７は本発明の実施の形態４の被服のウエストサイズ伸縮自在構造の要部裏面の縫製途中の構成を示す部品展開図である。なお、図中、実施の形態１と同一符号及び記号は実施の形態１の構成部分と同一または相当する構成部分を示すものであるから、ここでは重複する説明を省略する。
【００６７】
本実施の形態においては、実施の形態１に示す延出部裏地２５を有していないだけで、他は実施の形態１と同じである。
【００６８】
このように、本実施の形態の被服のウエストサイズ伸縮自在構造は、被服のウエスト部２０を複数に分割し、分割した両者間を主弾性材３０で接続することによりウエストサイズを伸縮自在とした被服のウエストサイズ伸縮自在構造において、ウエスト部２０まで形成したタック１からなるパイピング布１５で包んだ被服地の重ね合せ部と、前記重ね合せ部の意匠面からみて上側の布部１１に形成されたウエスト部２０の一端から延出する延出部２１と、前記重ね合せ部の意匠面からみて下側の布部１２に形成され、前記延出部２１を収容する収容部２０と、少なくとも前記収容部２０の端部側の内面に設けた収容部裏地２６と、前記延出部２１と前記収容部２０との間に両端が接続された主弾性材３０と、前記延出部２１の重ね合された内側と前記重ね合せ部の意匠面からみて下側の布部１２の裏面との間に両端が接続された補助弾性材３３とを具備するものである。
【００６９】
したがって、主弾性材３０の弾性力により収容部２２に挿入された延出部２１が収容部２２の内部を摺動するが、延出部２１が収容部裏地２６の面と摺接するので、収容部裏地２６の面の滑かさにより、その接触抵抗を少なくでき、同様に、主弾性材３０及び伸び止め材３１も収容部裏地２６の面と摺接するが、その接触抵抗を少なくでき、延出部２１と収容部２２との滑かな動きが可能となる。なお、補助弾性材３３については、自己の弾性力によって変化するものであるから、延出部２１の内部との接触の影響は大きくない。
【００７０】
同様に、パイピング布１５の一部についても、延出部裏地２５の面と摺接するが、パイピング布１５の面の滑かさにより、その接触抵抗を少なくでき、上記滑かな動きを助長する。
【００７１】
そこで、本実施の形態においても、図４における矢視Ｃのように、意匠面側から収容部２２の端部を開口させると、挿入された延出部２１及びその周囲の収容部裏地２６が確認されるだけで、被覆布２２Ａの端部及び芯材２４ａ，２４ｂは収容部裏地２６によって見えなくなり、その見栄えが向上する。また、図２及び図３における矢視Ｄのように、意匠面の裏側から収容部２２の端部を開口させると、挿入された延出部２１及びその周囲の収容部裏地２６が確認されるだけで、被覆布２２Ａの端部及び芯材２４ａ，２４ｂは収容部裏地２６によって見えなくなり、その見栄えが向上する。
【００７２】
そして、特に、図４における矢視Ｆのように、主弾性材３０を伸ばした状態で被服の意匠面側から延出部２１の下側端部を開口させると、延出部２１の被覆布２１Ａの端部及び芯材２３ａ，２３ｂ、パイピング布１５が見える。しかし、パイピング布１５が手前にあるため、見栄えを低下させることがない。また、このように確認する人は希であり、確率的に見栄えに大きな影響を与えることがない。また、図３における矢視Ｇ及び図２の矢視Ｅのように、主弾性材３０を伸ばした状態で意匠面の裏側から延出部２１の下側端部を開口させると、被覆布２１Ａの端部及び芯材２３ａ，２３ｂ及びパイピング布１５及び補助弾性材３３が確認される。しかし、パイピング布１５が手前にあるため、見栄えを低下させることがない。また、このように確認する人は希であり、確率的に見栄えに大きな影響を与えることがない。
【００７３】
実施の形態５
上記実施の形態の被服のウエストサイズ伸縮自在構造は、被服のタック１が被服地の重ね合せ部の場合について説明した。しかし、本発明を実施する場合には、ウエストサイズを伸縮させることから、被服が部分的に重ね合せられているところを利用すると、その伸縮具合の場合に皺にならないで済み、また、伸縮具合が目立たないで済む。故に、前記タック１をダーツとすることもできる。また、被服が部分的に重ね合せられているところとして、ポケット部とすることができる。
【００７４】
本発明の実施の形態では、被服のタック１を重ね合せ部としたものであるが、基本的に同一構成によって実施できる。
【００７５】
図８は本発明の実施の形態５の被服のウエストサイズ伸縮自在構造の要部表面の内部の構成を示す図である。なお、図中、実施の形態１と同一符号及び記号は実施の形態１の構成部分と同一または相当する構成部分を示すものであるから、ここでは重複する説明を省略する。
【００７６】
本実施の形態においては、実施の形態１に示すタック１がポケット５０となっているだけで、他は実施の形態１と同じである。
【００７７】
特に、本実施の形態では、ポケット５０の上側の布部１１に形成された延出部２１は、手を入れたりする際に延出部２１の下端が開口することに気付く可能性がある。そこで、延出部２１の下側端部を開口させると、延出部裏地２５及びパイピング布１５及び補助弾性材３３が確認されるように構成すると、被覆布２１Ａの端部及び芯材２３ａ，２３ｂは延出部裏地２５によって見えなくなり、その見栄えが向上するので、このよう実施の形態５のように構成するのが望ましい。
【００７８】
ところで、上記実施の形態１乃至実施の形態５では、実施の形態１との相違点を中心に説明したが、本発明を実施する場合には、各実施の形態で相違する点として説明した事項の組合せとしても使用できる。
【００７９】
即ち、本発明を実施する場合のウエスト部２０まで形成した被服地の重ね合せ部としては、タック１がポケット５０等の機能的またはデザイン的に被服地の重ね合せられた個所とすることができる。
【００８０】
また、本発明を実施する場合の重ね合せ部の意匠面側からみて上側の布部１１に形成されたウエスト部２０の一端から延出する延出部２１は、重ね合せ部の意匠面側からみて下側の布部１２に形成されたウエスト部２０の一端から延出する延出部２１としても形成できる。勿論、重ね合せ部の意匠面側からみて下側の布部１２に形成され、延出部２１を収容する収容部２２についても同様に、重ね合せ部の意匠面側からみて上側の布部１１に形成された延出部２１を収容する収容部２２とすることもできる。換言すれば、重ね合せ部の意匠面からみて一方側の布部に形成されたウエスト部２０の一端から延出する延出部２１と、重ね合せ部の意匠面からみて他方側の布部に形成され、延出部２１を収容する収容部２２として構成できればよい。
【００８１】
しかし、ウエスト部２０の全体の見栄えとしては、上記実施の形態１乃至実施の形態５で説明した構成が好適である。
【００８２】
特に、本実施の形態では、ポケット５０の入口部分より後ろ側に主弾性材３０を備え、この主弾性材３０の表側を下側の布部１２によって被覆したものであり、ウエスト部２０の伸縮がポケット部分においてなされ違和感がない。また、上側の布部１１と下側の布部１２との境界部分を被覆するベルト通し４０を備えたものであり、これにより境界部分を隠すことができ、美感を確保することができ、デザイン的にも良好な伸縮構造となる。
【００８３】
上記実施の形態の収容部２２の端部側の内面に設けた収容部裏地２６と、延出部２１の端部側の内面に設けた延出部裏地２５とは、ウエスト部２０の切断端部から５乃至１５ｃｍの範囲の長さとすることが、作業の手間及び裏地の使用量からして好適であるが、本発明を実施する場合には、延出部２１及び収容部２２の端部から５乃至１５ｃｍに限定されることなく、それ以上にすることもできる。また、全周とすることもできる。何れにせよ、少なくとも、ウエスト部２０の延出部２１または収容部２２の切断端部から５乃至１５ｃｍの範囲の長さとなっておればよい。この長さは、見栄えのみでなく、着用した際のウエスト部２０のゴワゴワ感によっても長さが決定される。
【００８４】
そして、上記実施の形態では、主弾性材３０及び伸び止め材３１を並設した構成で説明したが、本発明を実施する場合には、その最大伸びを制限する伸び止め材３１については省略することができる。特に、ウエスト部２０まで形成した被服地の重ね合せ部は、最大伸び長が決っているから、それ以上の伸びができない。故に、ウエスト部２０まで形成した被服地の重ね合せ部をストッパー代りとすることもできる。しかし、被服地の重ね合せ部が最大の伸びを示したとき、そこに張力が加わるので見栄えが低下する可能性がある。また、被服が伸縮する材料で形成される場合も想定される。したがって、主弾性材３０及び伸び止め材３１を並設した構成であれば、被服地の重ね合せ部の最大の伸びが伸び止め材３１で規制され、そこに張力が加わって見栄えが低下することがない。また、被服地の重ね合せ部が伸縮する材料であっても、その影響がなくなる。
【００８５】
更に、図６の実施の形態を除き、他の実施の形態では、延出部２１の重ね合された内側と重ね合せ部の意匠面からみて下側の布部１２の裏面との間に両端が接続された補助弾性材３３を設けているが、本発明を実施する場合には、補助弾性材３３をなくすことができる。しかし、補助弾性材３３を設けた方が全体の見栄えが向上する。
【００８６】
更にまた、図５の実施の形態を除き、他の実施の形態では、重ね合せ部の端部をパイピング布１５で包んだものであるが、本発明を実施する場合には、パイピング布１５を省略することができる。しかし、パイピング布１５で包んだ方が接続部を無理に広げた場合等では、その見栄えが向上する。このとき、パイピング布１５はウエスト部２０に沿って、その全周に設けてもよいが、重ね合せ部の中心から両側に３乃至１５ｃｍの範囲の長さであればよい。この長さは、端部を広げた場合の見栄えのみでなく、着用した際のウエスト部２０の違和感によっても長さが決定される。
【００８７】
なお、上記実施の形態では、パンツの事例によってウエスト部２０に重ね合せ部の端部が一方の端部のみを縫製する例で説明した。しかし、本発明を実施する場合には、ワンピース等のように、ウエスト部２０に上下の重ね合せ部が縫製される場合にも適用される。
【００８８】
実施の形態６
上記本発明を実施する場合には、ウエストサイズを伸縮させることから、被服が部分的に重ね合せられているところを利用すると、その伸縮具合の場合に皺にならないで済み、また、伸縮具合が目立たないで済む。故に、前記タック１をダーツとすることもできる。また、被服が部分的に重ね合せられているところとして、ポケット部とすることができる。
【００８９】
しかし、被服のタック１等の重ね合せ部は、ウエストサイズの伸縮に伴い伸び縮みする。即ち、被服のタック１等の重ね合せ部は、常に、布相互間が接触し、その接触抵抗は小さくない。
【００９０】
そこで、本発明の実施の形態では、被服のタック１等の重ね合せ部の布相互間が接触抵抗を小さくしたものである。
【００９１】
図１１は本発明の実施の形態６の被服のウエストサイズ伸縮自在構造の要部裏面の構成を示す部品展開図、図１２は本発明の実施の形態６の被服のウエストサイズ伸縮自在構造のパスピング布の縫製状態を示す説明図である。なお、図中、実施の形態１と同一符号及び記号は実施の形態１の構成部分と同一または相当する構成部分を示すものであるから、ここでは重複する説明を省略する。
【００９２】
本実施の形態においては、実施の形態１に示すタック１の内側には、被服地本体側裏地６０を設けただけで、他は実施の形態１と同じである。
【００９３】
即ち、図１１は紳士物パンツの上端を示すもので、この紳士物パンツのタック１は、表側からみたパンツ布地の意匠面（表）側に重なっている上側の布部１１と、パンツ布地の意匠面（表）側に重なった下側の布部１２と、両者間を接続する接続布１３から構成されている。裏側には、上側の布部１１と下側の布部１２とに重ねてタック１の裏面にも、表面が滑らかな裏地からなる被服地本体側裏地６０が重ねて縫製されている。
【００９４】
なお、このタック１は、その端部がウエスト部２０まで形成され、本実施の形態の重ね合せ部を構成している。
【００９５】
また、本実施の形態においては、タック１の上端にタック１の中心から両側に各１０ｃｍの範囲をパイピング布１５で包んでいる。即ち、上側の布部１１及び下側の布部１２（及び接続布１３）並びにそれらに被服地本体側裏地６０が重ねられて、それらの上端部を、２０ｃｍ強程度のパイピング布１５で包み、端部を見栄えの良い処理としている。パイピング布１５の材料は、公知のパンツまたはスーツ等の裏地として使用されるものであればよく、また、表面が滑らかなテープ等の使用も可能である。
【００９６】
特に、本実施の形態では、重ね合せ部を表面が滑らかな裏地からなる被服地本体側裏地６０が重ねて縫製されているから、重ね合せ部が滑らかな接触状態となり、被服のタック１等の重ね合せ部はウエストサイズの伸縮に伴い伸び縮みしても、スムーズな動きを行うことができる。
【００９７】
ところで、上記実施の形態１乃至実施の形態６では、実施の形態１との相違点を中心に説明したが、本発明を実施する場合には、各実施の形態で相違する点として説明した事項の組合せとしても使用できる。
【００９８】
【発明の効果】
以上説明したように、請求項１の複数に分割した芯材を有するウエスト部間を弾性材で接続することによりウエストサイズを伸縮自在とした被服のウエストサイズ伸縮自在構造においては、前記ウエスト部まで形成した被服地の重ね合せ部と、前記重ね合せ部の一方の布部に形成されたウエスト部の一端から延出する延出部と、前記重ね合せ部の他方の布部に形成され、前記延出部を収容する収容部と、前記延出部と前記収容部との間に両端が接続された主弾性材と、前記主弾性材の最大伸びを制限する伸び止め材と、前記収容部に挿入された前記延出部及び前記主弾性材及び前記伸び止め材の周囲を覆い、その面の滑かさにより、その接触抵抗を少なくする前記収容部の端部側の内面に設けた収容部裏地とを具備するものである。
【００９９】
したがって、主弾性材の弾性力により収容部に挿入された延出部が、収容部裏地のみと摺接し、芯材やロック掛けした布端やロック掛けしてない布端、ほつれ端部と摺接することがなくなり、その接触抵抗を少なくでき、延出部と収容部との滑かな動きが可能となる。また、前記収容部の表側及び裏側から見た前記収容部の内側には、収容部裏地が取付けてあるので、前記延出部を引張った状態で前記収容部の端部を広げても、ウエスト部の芯材が見えたり、ロック掛けした布端のほつれが見えたりし、その商品イメージを低下させることがない。
【０１００】
そして、被服のウエストサイズ伸縮自在構造の前記主弾性材には、その最大伸びを制限する伸び止め材を並設したものであるから、前記重ね合せ部に張力を加えないように、その伸びの長さを制限することができるから、前記重ね合せ部の見栄えが向上する。更に、主弾性材の弾性力により収容部に挿入された延出部が収容部の内部を摺動するが、収容部裏地の面と摺接するので、収容部裏地の面の滑かさにより、その接触抵抗を少なくでき、同様に、主弾性材及び伸び止め材も収容部裏地の面と摺接するので、その接触抵抗を少なくでき、滑かな動きが可能となる。
よって、伸縮自在にするために形成されている隙間を広げたときでも、その見栄えを良くすると共に、滑かな伸縮が可能となる。
【０１０１】
請求項２の複数に分割した芯材を有するウエスト部間を弾性材で接続することによりウエストサイズを伸縮自在とした被服のウエストサイズ伸縮自在構造においては、前記ウエスト部まで形成した被服地の重ね合せ部と、前記重ね合せ部の一方の布部に形成されたウエスト部の一端から延出する延出部と、前記重ね合せ部の他方の布部に形成され、前記延出部を収容する収容部と、前記延出部と前記収容部との間に両端が接続された主弾性材と、前記主弾性材の最大伸びを制限する伸び止め材と、前記延出部と前記重ね合せ部の前記他方の布部の裏面との間に両端が接続された補助弾性材と、前記収容部に挿入された前記延出部及び前記主弾性材及び前記伸び止め材の周囲を覆い、その面の滑かさにより、その接触抵抗を少なくする前記収容部の端部側の内面に設けた収容部裏地とを具備するものである。
【０１０２】
したがって、請求項１と同様に、主弾性材の弾性力により収容部に挿入された延出部が、収容部裏地のみと摺接し、芯材やロック掛けした布端やロック掛けしてない布端、ほつれ端部と摺接することがなくなり、その接触抵抗を少なくでき、延出部と収容部との滑かな動きが可能となる。また、前記収容部の表側及び裏側から見た前記収容部の内側には、収容部裏地が取付けてあるので、前記延出部を引張った状態で前記収容部の端部を広げても、ウエスト部の芯材が見えたり、ロック掛けした布端のほつれが見えたりし、その商品イメージを低下させることがない。特に、前記補助弾性材は、前記延出部と前記重ね合せ部の前記他方の布部の裏面との間に両端が接続されているから、常に、前記重ね合せ部に皺が寄るのを防止し、仕上りの見栄えを良くすることができる。
【０１０３】
そして、被服のウエストサイズ伸縮自在構造の前記主弾性材には、その最大伸びを制限する伸び止め材を並設したものであるから、前記重ね合せ部に張力を加えないように、その伸びの長さを制限することができるから、前記重ね合せ部の見栄えが向上する。更に、主弾性材の弾性力により収容部に挿入された延出部が収容部の内部を摺動するが、収容部裏地の面と摺接するので、収容部裏地の面の滑かさにより、その接触抵抗を少なくでき、同様に、主弾性材及び伸び止め材も収容部裏地の面と摺接するので、その接触抵抗を少なくでき、滑かな動きが可能となる。
よって、伸縮自在にするために形成されている隙間を広げたときでも、その見栄えを良くすると共に、滑かな伸縮が可能となる。
【０１０４】
請求項３の複数に分割した芯材を有するウエスト部間を弾性材で接続することによりウエストサイズを伸縮自在とした被服のウエストサイズ伸縮自在構造においては、前記ウエスト部まで形成した被服地の重ね合せ部と、前記重ね合せ部の一方の布部に形成されたウエスト部の一端から延出する延出部と、前記重ね合せ部の他方の布部に形成され、前記延出部を収容する収容部と、前記延出部と前記収容部との間に両端が接続された主弾性材と、前記主弾性材の最大伸びを制限する伸び止め材と、前記延出部の重ね合された内側と前記重ね合せ部の前記他方の布部の裏面との間に両端が接続された補助弾性材と、前記収容部に挿入された前記延出部及び前記主弾性材及び前記伸び止め材の周囲を覆い、その面の滑かさにより、その接触抵抗を少なくする前記収容部の端部側の内面に設けた収容部裏地と、前記延出部に挿入された前記補助弾性材の周囲を覆い、その面の滑かさにより、その接触抵抗を少なくする前記延出部の端部側の内面に設けた延出部裏地とを具備するものである。
【０１０５】
したがって、主弾性材の弾性力により収容部に挿入された延出部が、収容部裏地のみと摺接し、芯材やロック掛けした布端やロック掛けしてない布端、ほつれ端部と摺接することがなくなり、その接触抵抗を少なくでき、延出部と収容部との滑かな動きが可能となる。また、延出部が収容する補助弾性材についても、その伸縮の際に、延出部裏地のみと摺接し、芯材やロック掛けした布端やロック掛けしてない布端、ほつれ端部と摺接することがなくなり、その接触抵抗を少なくできる。そして、前記収容部の表側及び裏側から見た前記収容部の内側には、収容部裏地が取付けてあるので、前記延出部を引張った状態で前記収容部の端部を広げても、ウエスト部の芯材が見えたり、ロック掛けした布端のほつれが見えたりし、その商品イメージを低下させることがない。前記延出部の内側も、延出部裏地が取付けてあるので、前記延出部の下端部を広げても、ウエスト部の芯材が見えたり、ロック掛けした布端のほつれが見えたりし、その商品イメージを低下させることがない。更に、前記補助弾性材は、前記延出部と前記重ね合せ部の前記他方の布部の裏面との間に両端が接続されているから、常に、前記重ね合せ部に皺が寄るのを防止し、仕上りの見栄えを良くすることができる。
【０１０６】
そして、被服のウエストサイズ伸縮自在構造の前記主弾性材には、その最大伸びを制限する伸び止め材を並設したものであるから、前記重ね合せ部に張力を加えないように、その伸びの長さを制限することができるから、前記重ね合せ部の見栄えが向上する。更に、主弾性材の弾性力により収容部に挿入された延出部が収容部の内部を摺動するが、収容部裏地の面と摺接するので、収容部裏地の面の滑かさにより、その接触抵抗を少なくでき、同様に、主弾性材及び伸び止め材も収容部裏地の面と摺接するので、その接触抵抗を少なくでき、滑かな動きが可能となる。また、補助弾性材についても延出部の内部を摺動するが、延出部裏地の面と摺接するので、延出部裏地の面の滑かさにより、その接触抵抗を少なくでき、上記滑かな動きを助長することができる。
よって、伸縮自在にするために形成されている隙間を広げたときでも、その見栄えを良くすると共に、滑かな伸縮が可能となる。
【０１０７】
請求項４の被服のウエストサイズ伸縮自在構造の前記収容部裏地または延出部裏地は、前記収容部または延出部の端部から５乃至１５ｃｍの範囲の長さとしたものであるから、請求項１乃至請求項３の何れか１つに記載の効果に加えて、作業コスト及び材料費を廉価にすることができる。
【図面の簡単な説明】
【図１】  図１は本発明の実施の形態１の被服のウエストサイズ伸縮自在構造の要部裏面の構成を示す部品展開図である。
【図２】  図２は本発明の実施の形態１の被服のウエストサイズ伸縮自在構造の要部裏面の縫製途中の構成を示す部品展開図である。
【図３】  図３は本発明の実施の形態１の被服のウエストサイズ伸縮自在構造の要部裏面を示す正面図である。
【図４】  図４は本発明の実施の形態１の被服のウエストサイズ伸縮自在構造の要部表面を示す正面図である。
【図５】  図５は本発明の実施の形態２の被服のウエストサイズ伸縮自在構造の要部裏面の縫製途中の構成を示す部品展開図である。
【図６】  図６は本発明の実施の形態３の被服のウエストサイズ伸縮自在構造の要部裏面の縫製途中の構成を示す部品展開図である。
【図７】  図７は本発明の実施の形態４の被服のウエストサイズ伸縮自在構造の要部裏面の縫製途中の構成を示す部品展開図である。
【図８】  図８は本発明の実施の形態５の被服のウエストサイズ伸縮自在構造の要部表面の内部の構成を示す図である。
【図９】  図９は従来のウエスト部を伸縮自在としたパンツの上部斜視図である。
【図１０】  図１０に示す図９の矢視Ａ及び矢視Ｂからみたウエスト伸縮構造部分に繋ぎ目を広げた拡大図である。
【図１1】  図１１は本発明の実施の形態６の被服のウエストサイズ伸縮自在構造の要部裏面の構成を示す部品展開図である。
【図１2】  図１２は本発明の実施の形態６の被服のウエストサイズ伸縮自在構造のパイピング布の縫製状態を示す説明図である。
【符号の説明】
１        タック
１１      上側の布部
１２      下側の布部
１５      パイピング布
２０      ウエスト部
２１      延出部
２２      収容部
２５      延出部裏地
２６      収容部裏地
３０      主弾性材
３３      補助弾性材
４０      ベルト通し
５０      ポケット
６０      被服地本体側裏地
【図１】
0003964595.tif 000002
【図２】
0003964595.tif 000003
【図３】
0003964595.tif 000004
【図４】
0003964595.tif 000005
【図５】
0003964595.tif 000006
【図６】
0003964595.tif 000007
【図７】
0003964595.tif 000008
【図８】
0003964595.tif 000009
【図９】
0003964595.tif 000010
【図１０】
0003964595.tif 000011
【図１１】
0003964595.tif 000012
【図１２】
0003964595.tif 000013